(57)【要約】ノズルチェックバルブは、バルブ体（１０）と、バルブ体（１０）の上流端部内の中心に配置されるノズル（２０）とを備える。流体チャネル（９０）を、ノズル（２０）の外面およびバルブ体（１０）の内面によって画定する。ガイドブッシュ（６０）を、ノズル軸線方向延在部（２６）上に取り付ける。複数のウェブ（３４）によって中央胴部（３２，３３）に接続されるディスクシーリングリング（３１）を備える環状ディスク（３０）を、流体チャネル（９０）を開閉するための、バルブ体に関連する環状ディスク（３０）の軸線方向運動のために、ガイドブッシュ（６０）上に取り付ける。スペーサ（８０）を、ガイドブッシュ（６０）の下流側で、ノズル軸線方向延在部（２６）上に配置する。ディフューザ（４０）を、スペーサ（８０）の下流側に配置する。環状ディスク（３０）とディフューザ（４０）との間のバネ（５０）は、ディスクをバルブ閉口位置に向けて付勢する。バルブのストローク、即ち、環状ディスク（３０）の、バルブ閉口位置から、環状ディスク（３０）がディフューザ（４０）の上流面に接触するバルブ開口位置までの最大移動距離は、スペーサ（８０）の軸長によって決定される。環状ディスク（３０）の質量中心は、胴部（３２）がガイドブッシュ（６０）に摺動接触する軸線方向位置において、ディスク（３０）の中心軸線に沿って配置する。【選択図】図３
2018507994.tif 000002
【特許請求の範囲】
【請求項１】
ノズルチェックバルブであって、
バルブ体（１０）と、
前記バルブ体（１０）内に配置されるノズル（２０）と、
流体チャネル（９０）と、
前記バルブ体（１０）内に配置され、前記バルブ体（１０）に対して軸線方向に移動して、前記流体チャネル（９０）を開閉するように構成される環状ディスク（３０）と、
を備え、
前記環状ディスク（３０）によって、前記バルブ体（１０）に対して軸線方向に移動可能な最大距離が、スペーサ（８０）の軸長によって決定されるように配置されるスペーサ（８０）によって特徴付けられる、ノズルチェックバルブ。
【請求項２】
請求項１に記載のノズルチェックバルブであって、前記環状ディスク（３０）は、中央胴部（３２，３３）を備える、ノズルチェックバルブ。
【請求項３】
請求項２に記載のノズルチェックバルブであって、前記ノズル（２０）は、前記環状ディスク（３０）の中央胴部（３２，３３）を貫通するように構成される軸線方向延在部（２６）を備える、ノズルチェックバルブ。
【請求項４】
請求項３に記載のノズルチェックバルブであって、前記ノズル軸線方向延在部（２６）と前記環状ディスク（３０）の中央胴部（３２，３３）との間に、前記ノズル軸線方向延在部（２６）の周囲にガイドブッシュ（６０）が設けられている、ノズルチェックバルブ。
【請求項５】
請求項２〜４のいずれか一項に記載のノズルチェックバルブであって、更に、前記バルブ体（１０）に対して固定されるディフューザ（４０）を備え、前記スペーサ（８０）は、バルブ開口位置における前記環状ディスク（３０）の下流面と、前記ディフューザ（４０）との間に配置される、ノズルチェックバルブ。
【請求項６】
請求項５に記載のノズルチェックバルブであって、更に、前記環状ディスク（３０）と前記ディフューザ（４０）との間に配置されるバネ（５０）を備える、ノズルチェックバルブ。
【請求項７】
請求項６に記載のノズルチェックバルブであって、前記流体チャネル（９０）の開口時に、前記バネ（５０）が圧縮状態にある、ノズルチェックバルブ。
【請求項８】
請求項５〜７のいずれか一項に記載のノズルチェックバルブであって、前記ディフューザ（４０）は、固定手段（７０）を介して、前記ノズル（２０）の中心軸線（２６）に固定される、ノズルチェックバルブ。
【請求項９】
請求項５〜８のいずれか一項に記載のノズルチェックバルブであって、前記流体チャネル（９０）の全開時に、前記環状ディスク（３０）は、前記ディフューザ（４０）に対して隣接する、ノズルチェックバルブ。
【請求項１０】
ノズルチェックバルブであって、
バルブ体（１０）と、
前記バルブ体（１０）の上流端部内の中心に配置され、かつ、複数のウェブ（２２）によって前記バルブ体（１０）に接続されるノズル（２０）であって、中央位置から下流方向に分岐する上流面（２３）と、下流方向に合流する下流面（２４）とを有しており、更に、軸線方向下流延在部（２６）を備えるノズルと、
前記ノズル（２０）の外面および前記バルブ体（１０）の内面によって画定される流体チャネル（９０）と、
前記ノズル軸線方向延在部（２６）上に取り付けられるガイドブッシュ（６０）と、
前記流体チャネル（９０）を開閉するために、前記バルブ体に対する前記環状ディスク（３０）の軸線方向移動のために前記ガイドブッシュ（６０）上に取り付けられる中央胴部（３２，３３）に、複数のウェブ（３４）によって接続されるディスクシーリングリング（３１）を備える環状ディスク（３０）と、
前記ガイドブッシュ（６０）の下流側で、前記ノズル軸線方向延在部（２６）上に配置されるスペーサ（８０）と、
前記スペーサ（８０）の下流側に配置されるディフューザ（４０）と、
前記環状ディスク（３０）および前記ディフューザ（４０）の間に配置されるバネ（５０）と、
を備え、
前記環状ディスク（３０）の下流方向に向けた、前記環状ディスク（３０）が、前記ディフューザ（４０）の上流面に接触する位置までの最大移動距離が、前記スペーサ（８０）の軸長によって決定される、ノズルチェックバルブ。
【請求項１１】
請求項２〜１０のいずれか一項に記載のノズルチェックバルブであって、前記環状ディスク（３０）の質量中心は、前記胴部（３２）が前記ガイドブッシュ（６０）に摺動接触する軸線方向位置において、前記ディスク（３０）の中心軸線に沿って配置される、ノズルチェックバルブ。
【請求項１２】
請求項１１に記載のノズルチェックバルブであって、前記環状ディスク（３０）の質量中心は、前記ガイドブッシュ（６０）に摺動接触する前記胴部（３２）の部分の中点から、前記ガイドブッシュ（６０）に摺動接触する前記胴部（３２）の部分の長さの２０％以内にある軸線方向位置において、前記ディスク（３０）の中心軸線に沿って配置される、ノズルチェックバルブ。
【請求項１３】
請求項１２に記載のノズルチェックバルブであって、前記環状ディスク（３０）の質量中心は、前記ガイドブッシュ（６０）に摺動接触する前記胴部（３２）の部分の中点における軸線方向位置において、前記ディスク（３０）の中心軸線に沿って配置される、ノズルチェックバルブ。
【発明の詳細な説明】
【技術分野】
【０００１】
本発明は、ノズルチェックバルブに関する。ガス状媒体および液状媒体用のチェックバルブは、例えば、ガスおよび液体パイプラインにおいて、何らかを起動することなく、可能な限り迅速に、自動的に逆流を停止することによって、水撃、ポンプ等の設備への損害や、ライン液体とガスとの混合等の問題を回避するために使用される。ノズルチェックバルブは、アキシャルチェックバルブとも称される場合があるが、デュアルプレートチェックバルブおよびスイングチェックバルブ等の他の形態のチェックバルブよりも迅速に作動する。逆流が開始した場合にバルブが迅速に閉口可能であるほど、逆流し始めた流体が急停止した場合の衝撃は小さくなる。
【背景技術】
【０００２】
ノズルチェックバルブの一般原理として、通常はバネによる閉鎖力に対する正流方向への流体流に応じて軸線方向に移動するディスクを使用する。流れが遮断されると、ディスクは、軸線方向に移動して封止し、逆流を阻止する。ノズルチェックバルブの最も一般的な設計では、流路を封止するためのマッシュルーム型ピストンを使用する。本出願人およびその関連会社Ｎｏｒｅｖａ  ＧｍｂＨは、公称径が１２インチ（３０ｃｍ）までのより小さなサイズのバルブに、マッシュルーム型のシーリングディスクを使用する。より大きなサイズには、本出願人およびＮｏｒｅｖａ  ＧｍｂＨは、リング形状のクロージャによって閉口することができる環状の流路を提供する本体の上流側において、バルブ体に軸線方向に配置されるノズルを備えるノズルチェックバルブ設計を使用する。リングディスクは、典型的に、ディスクを閉口位置に向けて付勢する板バネによって固定される。そのような配置の一例に、ドイツ国実用新案第２０２１４７８１（Ｕ１）号明細書（特許文献１）が挙げられる。他の製造者は、全てのサイズのバルブにおいてマッシュルームピストンチューブディスクを使用する。
【０００３】
多くのパイプライン用途において、時折、低ガス流が生じる。低ガス流の期間中、マッシュルーム型のディスクは、その重さに起因して開口しない場合や、殆どの時間、半閉口位置にある場合がある。それ故、流量係数および圧力損失は、バルブの仕様・設計に対応する通常流量条件とは極めて異なる。より大きな直径のバルブにおいてマッシュルーム型のディスクを使用する製造者の一部は、回転防止ピンをマッシュルーム型ディスクに取り付けて、完全に開口も閉口もしない長時間の間、ディスクの回転を停止する。
【０００４】
板バネ上に支持されるリングディスクを有するＮｏｒｅｖａ  ＧｍｂＨのバルブは、マッシュルーム型ディスクを有する同等のバルブよりも極めて軽量のディスクを有する。ディスクの軽さは、迅速に閉口するために重要であり、それにより、逆流し始めた流体が急停止した際の衝撃を低下させる。板バネ支持部は、振動により生じ得る自己損害のリスクを制限するため、バルブが乱流や流体の変動流に曝される際に、バルブが特定された流量条件外で操作される場合でさえ、円滑な運動を確実とし、かつ、ディスクの振動を最小化するよう試みるための要件を有するより複雑な配置となる。
【０００５】
Ｎｏｒｅｖａ  ＧｍｂＨのドイツ国実用新案第２０２０１００１０９３５号明細書（特許文献２）およびＣａｍｅｒｏｎ  Ｉｎｔｅｒｎａｔｉｏｎａｌ  Ｃｏｒｐｏｒａｔｉｏｎのヨーロッパ特許出願公開第２４０５１６３（Ａ１）号明細書（特許文献３）は、ノズルチェックバルブにリングディスクを取り付けるための代替手段に関する。この配置において、リングディスクは、ノズルから下流方向に軸線方向に突出する延在部上に、軸線方向移動用に配置される中央胴部に接続される３本の放射状アームを有するように形成する。リングディスクアセンブリは、バネの抵抗力に対して、環状の流路が封止される閉口位置から、リングディスクが、ノズルの下流に配置されるディフューザの上流端部に隣接する全開位置まで運動することができる。そのようなディスク配置は、板バネ上に支持されるリングディスクよりも重いが、同等のサイズのバルブのマッシュルーム型ディスクよりも極めて軽量である。
【０００６】
バルブを使用する所定範囲の流量および圧力条件において、バルブディスクのストローク、バルブの閉口位置とバルブの全開位置との間の運動、およびバネ強度は、製造者によって調整される。マッシュルーム型ディスクバルブおよび板バネ上に支持されるリングディスクを有するバルブの両者において、この調整は、製造者の工場においてのみ実施することができる。
【０００７】
上述したＣａｍｅｒｏｎ  Ｉｎｔｅｒｎａｔｉｏｎａｌ  Ｃｏｒｐｏｒａｔｉｏｎの特許文献３は、バルブ体と、環状の流路を成すようバルブ体の上流端部に配置されるノズルと、ノズルの下流側から突出するアキシャルシャフトと、を備えるノズルチェックバルブに関する。シャフト上には、中央胴部に接続される３本の放射状アームを有するアキシャルディスクが取り付けられる。アキシャルディスクのアキシャルシャフトの下流上には、バネと、リングディスクの放射状アームを受容するための溝を備えるスペーサと、ディフューザと、も取り付けられ、スペーサの外壁は、第１流路の内周を画定し、ディフューザの内壁は、第１流路の外周を画定する。第２環状流路は、ディフューザの外壁およびバルブ体の内壁によって画定される。特許文献３は、異なる形態の流れ条件において、異なる設計のスペーサを使用することができることを示唆している。スペーサにおけるより短いまたはより長い溝は、リングディスクのストロークの再構成を容易にすることができる。環状流路に関連するディフューザの配置は、アキシャルシャフトの長さによって決定される。スペーサにおけるスロット長の短縮によって、シーリングディスクの運動範囲を減少することで、シーリングディスクは、ディフューザ体にて急停止する結果となり、これにより、第２流路を通じた円滑な流れを中断させる。
【先行技術文献】
【特許文献】
【０００８】
【特許文献１】ドイツ国実用新案第２０２１４７８１（Ｕ１）号明細書
【特許文献２】ドイツ国実用新案第２０２０１００１０９３５号明細書
【特許文献３】ヨーロッパ特許出願公開第２４０５１６３（Ａ１）号明細書
【発明の概要】
【０００９】
本発明は、ノズルに対して移動することで、バルブ閉口位置と、シーリングディスクが簡素かつ信頼性のある方法でディフューザに接触するバルブ開口位置との間のシーリングディスクのストロークを増減させるために環状の流路を画定するノズルの下流に、ディフューザを配置することを可能にする。
【００１０】
本発明によれば、
バルブ体と、
バルブ体内に配置され、環状の流体チャネルを画定するノズルと、
バルブ体内に配置され、かつ、バルブ体に対して軸線方向に移動して、流体チャネルを開閉するように構成される環状ディスクと、
環状ディスクによって、バルブ体に対して軸線方向に移動可能な最大距離が、スペーサの軸長によって決定されるように配置されるスペーサと、
を備える、ノズルチェックバルブが提供される。
【００１１】
本発明は、スペーサを異なる長さのスペーサに変更することによって、ユーザによるバルブディスクのストロークの変更を可能にする。この変更は、ユーザ側で容易に実施することができ、バルブを製造者に返却する必要がない。これにより、バルブが内蔵されたプラントの操作条件をユーザが変更する必要がある場合、ユーザは、時間およびコストを節約できる。
【００１２】
次に、本発明を、添付図面を参照して、単なる非限定的な例示によって説明する。
【図面の簡単な説明】
【００１３】
【図１】本発明による、ノズルチェックバルブの断面分解図である。
【図２】本発明による、ノズルチェックバルブの分解斜視図である。
【図３】本発明による、ノズルチェックバルブの断面側面図である。
【発明を実施するための形態】
【００１４】
本明細書においては、上流端部から下流端部までのバルブを通じた通常の流れを参照することによって位置を識別するために、「上流」または「上流端部」という用語を使用する。
【００１５】
図３において、図面の下半部は、閉口位置におけるバルブを示しており、また、上半部は、開口位置におけるバルブを示す。
【００１６】
図１〜図３を参照すると、本発明による例示的なノズルチェックバルブは、ノズル体２１と、ノズル体２１をバルブ体１０の内側に接続する複数の放射状ノズルウェブ２２とを備えるノズル２０付きのバルブ体１０を備える。有利には、バルブ体１０およびノズル２０は、シングルキャスティングとして形成してもよい。バルブ体は、バルブ体を隣接する配管に接続するための上流および下流フランジ端部１２，１３を有するように示す。他の接続端部（溶接端部や突き合わせ端部）を使用することもできる。ノズル体２１は、中点から下流方向に分岐するノズル上流面２３と、下流方向に合流するノズル下流面２４とを有する。ノズル２０は、更に、軸線方向下流延在部２６を備える。ノズル軸線方向延在部２６は、簡便には、ノズル体２０と一体的に形成されるが、より望ましくは、バルブ体１０およびノズル体２０と共にシングルキャスティングの部品として形成することができる。代替的に、ノズルの軸線方向下流延在部２６は、別個に設けられてもよく、また、ノズル体２０に好適に取り付けられてもよい。
【００１７】
シーリングディスク３０は、ディスクシーリングリング３１と、ディスク取り付け胴部３２およびディスクバネ受容胴部３３を備えるディスク胴部３２，３３とを備える。胴部３２，３３およびディスクシーリングリング３１は、複数のディスクウェブ３４によって接続される。シーリングディスク３０は、シーリングディスク３０の軸線方向への運動を可能とするよう、ノズルの軸線方向下流延在部２６上に取り付けられる。有利には、図面に示すように、ノズルの軸線方向下流延在部２６とディスク取り付け胴部３２との間に、ガイドブッシュ６０を配置することができる。ガイドブッシュ６０の材料は、シーリングディスク３０の軸線方向への運動を容易にするために、摩擦を低減するように選択することができる。ディスクバネ受容胴部３３は、ディスク取り付け胴部３２の下流に配置され、コイルバネ５０を収容し、かつ、ガイドブッシュ６０との接触を避けることにより、ディスク取り付け胴部３２のみがガイドブッシュ６０と摺動接触するように、ディスク取り付け胴部３２よりも幅広の内径を有する。
【００１８】
中空であり、ほぼ円筒形であって、ガイドブッシュ６０の外径とほぼ同一の外径を有するスペーサ８０をガイドブッシュ６０の下流に配置し、これは、ディフューザ４０の軸線方向位置の確立に資する。一方、ディフューザ４０の軸線方向位置は、シーリングディスク３０の上流面が、バルブ体１０のバルブシート部分１１およびノズル２０のノズル下流面２４上のノズルバルブシート部分２５によって形成されるバルブシートに接触するバルブ閉口位置に関連するシーリングディスク３０の最大移動距離を決定する。バネ５０の下流端部は、ディフューザバネシート４１に配置する。スペーサ８０の下流端部は、ディフューザスペーサシート４２に配置する。アセンブリ全体をタイボルト７０、ボルトタブワッシャ７１およびノズル２０に形成されるノズルボルト孔部２７を使用して保持する。
【００１９】
図３において最も容易に示されるように、ノズル２０の外側およびバルブ体１０の内側は、併せて環状流路９０を形成する。図３の上半分に示す開口位置において、この環状流路は、下流において、第１流路９１および第２流路９２となる。第１流路９１は、バルブ体１０の内面と、ディフューザ４０およびディスク３０の外面との間に画定される。第２流路９２は、ノズル下流面２４の外面と、ディフューザ４０およびディスク３０の内面と、ディスク胴部３２／３３の外側面とによって画定される。通常の流れが妨害されると、シーリングディスク３０は、軸線方向で上流方向に付勢され、ディフューザ４０との接触状態から離れ、バルブ体のバルブシート１１およびノズルバルブシート２５に接触することにより、逆流を防ぐ。
【００２０】
バルブのストローク、即ち、シーリングディスク３０が、バルブ体バルブシート１１およびノズルバルブシート２５に封止接触する、バルブの上流端部に最も接近する位置に配置されるバルブ閉口位置と、シーリングディスク３０の下流面がディフューザ４０の上流面に接触するバルブ開口位置との間の移動距離は、異なる長さのスペーサ８０を、例えばより短いストロークにはより短いスペーサを使用することによって、容易に変更することができる。バネ５０を、より短い、またはより長いスペーサ８０用に、より短い、またはより長いバネ５０に置き換えて、最適な開口および閉口特性を達成することも望ましい。ノズルボルト孔部２７の好適な深さを付与することによって、異なる長さのスペーサ８０と共に同一のタイボルト７０を使用することができる。代替的に、より短い、またはより長いスペーサ８０と共に、より短い、またはより長いタイボルト７０を使用することができる。図示しない代替的な一実施形態においては、より短い、かつより長い第１スペーサ８０の両者と共に、同一の長さのタイボルト７０の使用に対応するように、より短い第１スペーサ８０を採用する場合、第２の円筒形スペーサをディフューザ４０の下流に設けることができる。
【００２１】
シーリングディスク３０は、図１において最も明白に描写される。ディスクシーリングリング３１は、図示するように、外周縁および内側端縁上に折り返し面取り部を有する、全体的に平坦な上流面を有する形状である。代替的に、リングは、ほぼトロイダルまたはセミトロイダルであってもよい。ディスクシーリングリングの下流面の角度は、流れおよび封止特性が最適となるよう選択することができる。
【００２２】
シーリングディスク３０の安定性および軸線方向運動の自由を最適化するために、シーリングディスク３０の質量中心は、ディスク取り付け胴部３２とガイドブッシュ６０との間の接触領域内の軸点において、中心に位置付けられるように配置する。最も好適には、質量中心は、ディスク取り付け胴部３２に沿ったおおよそ半分の、例えばディスク取り付け胴部３２の中点から、その長さの２５％以内の軸線方向位置に配置する。ディスク取り付け胴部３２の中点から、その長さの１０％以内であることがより好ましい。
【００２３】
ガイドブッシュ６０の取り付けを可能にし、かつ、ディスク取り付け胴部３２のバルブ閉口位置に向けた軸線方向移動を可能にするために、即ち、シーリングディスク３０のバルブ体の上流端部に向けた軸線方向移動を可能にするために、ガイドブッシュ６０およびディスク取り付け胴部３２を収容可能なサイズのノズル２０の下流端部に、円筒形の溝２８を形成することができる。ディスク取り付け胴部３２の下流に配置され、かつディスク取り付け胴部３２の内径およびガイドブッシュ６０の外径よりも内径がより幅広であるディスクバネ受容胴部３３上に、ディスクウェブ３４を取り付けることによって、ディスクウェブ３４は、シーリングディスク３０のバルブ閉口位置に向けた軸線方向移動に干渉せず、かつ、シーリングディスク３０の質量中心を、ガイドブッシュ６０に摺動接触するディスク取り付け胴部３２の長さ内に配置することができる。
【００２４】
軸線方向運動のためにノズル軸線方向下流延在部２６上に取り付けられるシーリングディスク３０を使用することにより、特にシーリングディスク３０が、軸線方向にあり、ガイドブッシュ６０に接触する胴部３２内に配置されるディスク３０の重力の中心に均衡するよう取り付けられるとき、（開口するには重過ぎる、開口や回転が遅い）マッシュルーム型シーリングディスクおよび（粗動する）板バネ支持ディスクの両者の欠点である低流量または間欠流を防止する。リング３１、胴部３２，３３およびウェブ３４を含むシーリングディスク３０アセンブリは、胴部およびウェブなしのリングディスクよりも極めて重い必要はなく、かつ、同一のサイズのマッシュルーム型シーリングディスクよりも著しく軽量である。簡素なリング設計の２４インチ（６０ｃｍ）のシーリングディスク（板バネ上に取り付けるための胴部またはウェブなしのリングディスク）と、本明細書に記載の中央胴部およびウェブを有するリングディスクと、マッシュルーム型ディスクの比較結果を表１に示す。図１〜図３に関連して記載したようなディスクと、Ｎｏｒｅｖａの従来のリングディスクとの間における重量の差異は、２００％も重量が増加するマッシュルーム型ディスクと比較して、２０％しか増加していない。
【００２５】
【表１】
2018507994.tif 000003
【００２６】
マッシュルーム型ディスクは、非常に重いだけでなく、胴部およびウェブを有するディスクよりも反応が極めて遅い上に、本発明によって考慮される方法においては、均衡が取れない。マッシュルーム型バルブのピストン端部は、一般的に、円筒形のブッシングに摺動可能に受容される。軸線方向移動は、ブッシングによって誘導されるが、マッシュルーム型ディスクの質量中心がブッシング内にないため、均衡が取れない。そのような平衡の取れない誘導は、最終的に、部品の摩耗に繋がり、かつバルブが固着して、バルブ開口位置とバルブ閉口位置との間で自由に移動できなくなるリスクが生じる。
【００２７】
胴部／ウェブを有するリングディスクは、胴部／ウェブを有しないリングディスクほど軽量ではないが、均衡の取れた誘導を達成するために、質量中心を正確な位置に配置することによって、軸線方向延在部上に均衡の取れた誘導をもたらすという利点を有する。
【００２８】
即ち、均衡の取れた誘導は、
バルブ体１０と、
バルブ体１０の上流端部内の中心に配置され、かつ、複数のウェブ２２によってバルブ体１０に接続されるノズル２０であって、中央位置から下流方向に分岐する上流面２３と、下流方向に合流する下流面２４とを有しており、更に、軸線方向下流延在部２６を備えるノズルと、
ノズルの外面およびバルブ体の内面によって画定される流体チャネル９０と、
ノズル軸線方向延在部２６上に取り付けられるガイドブッシュ６０と、
流体チャネル９０を開閉するために、バルブ体に対する環状ディスク３０の軸線方向移動のためにガイドブッシュ上に取り付けられる中央胴部３２に、複数のウェブ３３によって接続されるディスクシーリングリング３１を備える環状ディスク３０と、
バルブ体８０の下流側内に配置されるディフューザ４０と、
環状ディスク３０およびディフューザ４０の間に配置されるバネ５０と、
を備え、
環状ディスク３０の質量中心は、胴部３２がガイドブッシュ６０に摺動接触する軸線方向位置において、ディスク３０の中心軸線に沿って配置される、ノズルチェックバルブを提供することによって達成することができる。
【００２９】
環状ディスク３０の質量中心は、ガイドブッシュ６０に摺動接触する胴部３２の部分の中点から、ガイドブッシュ６０に摺動接触する胴部３２の部分の長さの２０％以内である軸線方向位置において、ディスク３０の中心軸線に沿って配置するのが好ましい。環状ディスク３０の質量中心は、ガイドブッシュ６０に摺動接触する胴部３２の部分の中点における軸線方向位置において、ディスク３０の中心軸線に沿って配置するのがより好ましい。
【００３０】
胴部およびウェブを有するリングディスクを使用することは、更に、バルブのストロークの調整を容易にするための配置に資する。必要に応じて、バネ５０およびタイボルト７０の長さと共に、円筒形のスペーサ８０の長さを変更する簡素な便法によって、ディフューザ４０の上流面とバルブシート領域との間の距離を延長するか、または短縮することができる。これにより、異なる流量要件に適応するために、バルブのストロークを延長するか、短縮することができる。そのような変更は、現場にて容易に実施することができ、バルブを工場に返却する必要もない。
【符号の説明】
【００３１】
１０  バルブ体
１１  バルブ体バルブシート
１２  フランジ端部、上流
１３  フランジ端部、下流
２０  ノズル
２１  ノズル体
２２  ノズルウェブ
２３  ノズル上流面
２４  ノズル下流面
２５  ノズルバブルシート
２６  ノズル軸線方向下流延在部
２７  ノズルボルト孔部
２８  ノズルガイドブッシュおよびディスク胴部溝
３０  ディスク
３１  ディスクシーリングリング
３２  ディスク取り付け胴部
３３  ディスクバネ受容胴部
３４  ディスクウェブ
４０  ディフューザ
４１  ディフューザバネシート
４２  ディフューザスペーサシート
５０  バネ
６０  ガイドブッシュ
７０  タイボルト
７１  タイボルトタブワッシャ
８０  スペーサ
９０  環状流路
９１  第１流路
９２  第２流路
【図１】
2018507994.tif 000004
【図２】
2018507994.tif 000005
【図３】
2018507994.tif 000006
【国際調査報告】
2018507994.tif 000007
2018507994.tif 000008